(57)【特許請求の範囲】
【請求項１】
植物が植栽される植栽凹部を有する移動式プランタであって、
前記植栽凹部の側方を覆う側壁部、及び、前記植栽凹部の下方を覆う底部を有する植栽容器と、
前記底部の下面側に設けられ、前記植栽容器の移動を補助する複数の移動用キャスタと、
前記底部の下面側に設けられ、前記移動用キャスタによる前記植栽容器の移動を選択的に規制する移動規制操作手段と、
前記側壁部の下端部から下方に延出して前記移動用キャスタ及び前記移動規制操作手段の側方を覆う袖カバーと、を備え、
前記袖カバーが前記植栽容器に対して着脱自在であり、
前記植栽容器は、
前記側壁部同士を連結する支柱と、
前記支柱の外側方を覆う支柱カバーと、を備え、
前記支柱カバーは、上下スライド自在であり、正規の取付位置である下側スライド位置では前記袖カバーを外れ止めし、正規の取付位置から上方にスライドさせた上側スライド位置又は取り外し状態では前記袖カバーの着脱を許容することを特徴とする移動式プランタ。
【請求項２】
前記側壁部は、
該側壁部の外側面を形成する外部側面パネルと、
前記外部側面パネルを着脱自在に支持する枠材と、を備えることを特徴とする請求項１に記載の移動式プランタ。
【請求項３】
前記支柱カバーは、前記下側スライド位置では前記外部側面パネルを外れ止めし、前記上側スライド位置又は取り外し状態では前記外部側面パネルの着脱を許容することを特徴とする請求項１又は２に記載の移動式プランタ。
【請求項４】
前記側壁部は、前記外部側面パネルの内側に配置される内部側面パネルをさらに備え、前記外部側面パネルと前記内部側面パネルとの間には、少なくとも光源を収容可能な空間が形成されることを特徴とする請求項２又は３に記載の移動式プランタ。
【請求項５】
植物が植栽される植栽凹部を有する移動式プランタであって、
前記植栽凹部の側方を覆う側壁部、及び、前記植栽凹部の下方を覆う底部を有する植栽容器と、
前記底部の下面側に設けられ、前記植栽容器の移動を補助する複数の移動用キャスタと、
前記底部の下面側に設けられ、前記移動用キャスタによる前記植栽容器の移動を選択的に規制する移動規制操作手段と、
前記側壁部の下端部から下方に延出して前記移動用キャスタ及び前記移動規制操作手段の側方を覆う袖カバーと、を備え、
前記袖カバーが前記植栽容器に対して着脱自在であり、
前記側壁部は、
該側壁部の外側面を形成する外部側面パネルと、
前記外部側面パネルを着脱自在に支持する枠材と、
前記外部側面パネルの内側に配置される内部側面パネルと、を備え、
前記外部側面パネルと前記内部側面パネルとの間には、少なくとも光源を収容可能な空間が形成されることを特徴とする移動式プランタ。
【発明の詳細な説明】
【技術分野】
【０００１】
本発明は、植物が植栽される移動式プランタに関する。
【背景技術】
【０００２】
近年、イベント会場、アウトレットモール、高速道路のサービスエリア、ビルの屋上庭園などでは、動線の設計、景観の向上、ヒートアイランド現象への対策などを目的として、植物が植栽された大型のプランタを設置するケースが増えている。しかしながら、大型のプランタは、プランタ自体が重いだけでなく、植栽される植物や土の重さも加わり、全体として相当な重量になるので、移動に際しては、フォークリフトやクレーン付き車両を用意する必要があった。
【０００３】
そこで、大型であっても移動が容易な移動式プランタが提案されている。例えば、特許文献１に記載された移動式プランタは、底部に移動用キャスタを備えるため、フォークリフトやクレーン付き車両を用いることなく移動することが可能であり、また、底部に固定用アジャスタを備えるので、通常使用時には、固定用アジャスタの接地パッドを接地状態とすることにより、プランタの不意な移動を防止することが可能である。
【先行技術文献】
【特許文献】
【０００４】
【特許文献１】特開２００３−２３８６８号公報
【発明の概要】
【発明が解決しようとする課題】
【０００５】
しかしながら、特許文献１に記載された移動式プランタは、移動用キャスタと固定用アジャスタが露出状態であるため、移動可能であることが容易に認識され、いたずらの対象となる可能性があるだけでなく、露出した移動用キャスタと固定用アジャスタが外観を低下させる虞がある。
【課題を解決するための手段】
【０００６】
本発明は、上記の課題を解決するため鋭意創作されたものであって、請求項１の発明は、植物が植栽される植栽凹部を有する移動式プランタであって、前記植栽凹部の側方を覆う側壁部、及び、前記植栽凹部の下方を覆う底部を有する植栽容器と、前記底部の下面側に設けられ、前記植栽容器の移動を補助する複数の移動用キャスタと、前記底部の下面側に設けられ、前記移動用キャスタによる前記植栽容器の移動を選択的に規制する移動規制操作手段と、前記側壁部の下端部から下方に延出して前記移動用キャスタ及び前記移動規制操作手段の側方を覆う袖カバーと、を備え、前記袖カバーが前記植栽容器に対して着脱自在であり、前記植栽容器は、前記側壁部同士を連結する支柱と、前記支柱の外側方を覆う支柱カバーと、を備え、前記支柱カバーは、上下スライド自在であり、正規の取付位置である下側スライド位置では前記袖カバーを外れ止めし、正規の取付位置から上方にスライドさせた上側スライド位置又は取り外し状態では前記袖カバーの着脱を許容することを特徴とする移動式プランタである。
請求項２の発明は、前記側壁部は、該側壁部の外側面を形成する外部側面パネルと、前記外部側面パネルを着脱自在に支持する枠材と、を備えることを特徴とする請求項１に記載の移動式プランタである。
請求項３の発明は、前記支柱カバーは、前記下側スライド位置では前記外部側面パネルを外れ止めし、前記上側スライド位置又は取り外し状態では前記外部側面パネルの着脱を許容することを特徴とする請求項１又は２に記載の移動式プランタである。
請求項４の発明は、前記側壁部は、前記外部側面パネルの内側に配置される内部側面パネルをさらに備え、前記外部側面パネルと前記内部側面パネルとの間には、少なくとも光源を収容可能な空間が形成されることを特徴とする請求項２又は３に記載の移動式プランタである。
請求項５の発明は、植物が植栽される植栽凹部を有する移動式プランタであって、前記植栽凹部の側方を覆う側壁部、及び、前記植栽凹部の下方を覆う底部を有する植栽容器と、前記底部の下面側に設けられ、前記植栽容器の移動を補助する複数の移動用キャスタと、前記底部の下面側に設けられ、前記移動用キャスタによる前記植栽容器の移動を選択的に規制する移動規制操作手段と、前記側壁部の下端部から下方に延出して前記移動用キャスタ及び前記移動規制操作手段の側方を覆う袖カバーと、を備え、前記袖カバーが前記植栽容器に対して着脱自在であり、前記側壁部は、該側壁部の外側面を形成する外部側面パネルと、前記外部側面パネルを着脱自在に支持する枠材と、前記外部側面パネルの内側に配置される内部側面パネルと、を備え、前記外部側面パネルと前記内部側面パネルとの間には、少なくとも光源を収容可能な空間が形成されることを特徴とする移動式プランタである。
【発明の効果】
【０００７】
請求項１の発明によれば、移動式プランタでありながら、移動用キャスタ及び移動規制操作手段の側方を覆う袖カバーを備えるので、移動可能であることが容易に認識されず、いたずらの対象となる可能性が低下するだけでなく、露出した移動用キャスタと移動規制操作手段による外観の低下を回避できる。しかも、袖カバーが着脱自在であるため、植栽容器の移動に際して袖カバーを取り外すことにより、移動規制操作手段の操作が容易になるとともに、移動時に袖カバーが床面や地面に接触して破損することも防止できる。さらに、支柱を覆う支柱カバーを利用して袖カバーを外れ止めすることにより、部品点数の削減及び構造の簡略化が図れる。
請求項２の発明によれば、側壁部の外側面を形成する外部側面パネルが着脱自在なので、外部側面パネルの交換に基づいてデザインを変更し、様々な用途に適応させることができる。
請求項３の発明によれば、支柱を覆う支柱カバーを利用して外部側面パネルを外れ止めすることにより、部品点数の削減及び構造の簡略化が図れる。
請求項４、５の発明によれば、外部側面パネルと内部側面パネルとの間に形成される空間に光源などを収容することで、移動式プランタに照明、電照看板、避難誘導灯などの機能を付加することができる。
【図面の簡単な説明】
【０００８】
【図１】本発明の実施形態に係る移動式プランタの斜視図である。
【図２】本発明の実施形態に係る移動式プランタの平面図である。
【図３】本発明の実施形態に係る移動式プランタの側面図である。
【図４】本発明の実施形態に係る移動式プランタのＡ−Ａ断面図である。
【図５】本発明の実施形態に係る移動式プランタの移動用キャスタ及び固定用アジャスタの取付状態を示す要部平面断面図である。
【図６】本発明の実施形態に係る移動式プランタの移動用キャスタ及び固定用アジャスタの取付状態を示す要部側面断面図である。
【図７】本発明の実施形態に係る移動式プランタのＢ−Ｂ断面図である。
【図８】本発明の実施形態に係る移動式プランタの袖カバー着脱構造を示す要部側面断面図である。
【図９】本発明の実施形態に係る移動式プランタの移動時から設置完了までの操作手順を示す説明図であり、（Ａ）は移動時を示す要部斜視図、（Ｂ）は固定用アジャスタによる固定操作を示す要部斜視図、（Ｃ）は袖カバーの取付操作を示す要部斜視図、（Ｄ）は支柱カバーの取付操作を示す要部斜視図、（Ｅ）は設置完了状態を示す要部斜視図である。
【発明を実施するための形態】
【０００９】
以下、本発明の実施の形態について、図面に基づいて説明する。図１〜図３において、１は本発明の実施形態に係る移動式プランタであって、該移動式プランタ１は、植物Ｐが植栽される植栽凹部２を有する植栽容器３と、植栽容器３の下面側に設けられる複数の移動用キャスタ４及び固定用アジャスタ５（移動規制操作手段）と、移動用キャスタ４及び固定用アジャスタ５の側方を覆う袖カバー６と、を備える。以下、移動式プランタ１の各部について、図１〜図８を参照して説明する。
【００１０】
植栽容器３は、植栽凹部２の側方を覆う側壁部７と、植栽凹部２の下方を覆う底部８と、側壁部７同士を連結する支柱９と、支柱９の外側方を覆う支柱カバー１０と、を備える。例えば、図２に示すように、植栽容器３が平面視四角形である場合は、植栽凹部２の前方、後方及び左右側方を覆う４つ側壁部７と、植栽凹部２の下方を覆う１つの底部８と、側壁部７の端部同士を連結する４つの支柱９と、各支柱９の外側方を覆う４つの支柱カバー１０と、を用いて植栽容器３が構成される。なお、植物Ｐは、植栽凹部２に直接植栽してもよいし、他の植栽容器（植木鉢、小型プランタ）に植栽された状態で植栽凹部２に載置してもよい。
【００１１】
本実施形態の側壁部７は、側壁部７の上端部を形成する上枠１１（枠材）と、側壁部７の下端部を形成する下枠１２（枠材）と、側壁部７の外側面を形成する外部側面パネル１３と、側壁部７の内側面を形成する内部側面パネル１４と、外部側面パネル１３と内部側面パネル１４との間に形成される空間１５に収容される光源１６と、を備える。
【００１２】
本実施形態の上枠１１及び下枠１２は、いずれも断面略四角形のアルミ形材であり、その長さ方向の両端がボルト１７を介して支柱９に連結される。上枠１１の下面部及び下枠１２の上面部には、外部側面パネル１３の上下両端部を嵌合支持する嵌合溝１１ａ、１２ａが形成されている。これらの嵌合溝１１ａ、１２ａは、外部側面パネル１３の上下両端部を左右スライド自在に嵌合支持しており、嵌合溝１１ａ、１２ａに対する左右方向の抜き差し操作に基づいて外部側面パネル１３の着脱及び交換が可能となっている。なお、下枠１２の上面部及び下面部には、空間１５に侵入した水を排出するための水抜き孔１２ｂ、１２ｃが形成されている。また、下枠１２の外側面部には、袖カバー６を係合支持する上側係合溝１２ｄ及び下側係合溝１２ｅが形成されているが、上側係合溝１２ｄ及び下側係合溝１２ｅについては、袖カバー６の説明に際して詳述する。
【００１３】
本実施形態の外部側面パネル１３は、多数の丸孔１３ａを有するアルミ板であり、空間１５に収容される光源１６の光を丸孔１３ａを介して外部に照射することにより、移動式プランタ１を夜間に足元を照らす照明として機能させる。さらに、本実施形態の移動式プランタ１は、外部側面パネル１３の交換に基づいてデザインを変更し、様々な用途に適応させることができる。例えば、外部側面パネル１３を透光性の樹脂看板とし、空間１５に光源１６を配置すれば、移動式プランタ１を電照看板や避難誘導灯として機能させることができる。また、空間１５には、光源１６に限らず様々なものを収容することが可能であり、例えば、液晶パネルと音源を収容すれば、動画や静止画を音声付きで表示することができる。なお、本実施形態の内部側面パネル１４は、アルミ板であり、上枠１１及び下枠１２の内側面にビス止めされる。
【００１４】
本実施形態の底部８は、断面四角形のアルミ形材である底部主フレーム１８及び底部副フレーム１９と、金属製のグレーチングである底板２０と、を備える。具体的には、対向する下枠１２間に架設される複数の底部主フレーム１８と、底部主フレーム１８と下枠１２との間に架設される複数の底部副フレーム１９と、底部主フレーム１８及び底部副フレーム１９の上に載置される複数の底板２０と、を用いて底部８が構成されている。なお、図２では、底部主フレーム１８及び底部副フレーム１９を見やすくするために、２つの底板２０のうち、一方の底板２０を取り外した状態が示されている。
【００１５】
本実施形態の支柱９は、断面略Ｌ字状のアルミ形材であり、互いに直角方向に延びる２つの側壁連結部９ａを有する。各側壁連結部９ａの一方の面には、側壁部７の上枠１１及び下枠１２がボルト１７を介して連結される。このとき、側壁連結部９ａの先端（外端）は、上枠１１及び下枠１２の嵌合溝１１ａ、１２ａよりも内側に位置し、外部側面パネル１３の着脱を阻害しない。また、各側壁連結部９ａの他方の面には、支柱カバー１０を上下方向スライド自在に支持する係合溝９ｂが形成されている。なお、図７では、ボルト１７で共締めされたストッパ金具２１を示しているが、該ストッパ金具２１は、支柱カバー１０の上下スライドを下限位置（正規の取付位置）で接当規制している。
【００１６】
本実施形態の支柱カバー１０は、断面略円弧状のアルミ形材であり、その内周側の左右両端部には、支柱９の係合溝９ｂに上下スライド自在に係合する左右一対の係合片１０ａが突設されており、さらに、内周側の左右中央部には、前述したストッパ金具２１と接当する接当片１０ｂが突設されている。つまり、本実施形態の支柱カバー１０は、上方から支柱９の係合溝９ｂに係合片１０ａを差し込むことにより、支柱９にスライド状に取り付けられるとともに、接当片１０ｂの下端面がストッパ金具２１に接当することにより、正規の取付位置に保持される。そして、正規の取付位置に取り付けられた支柱カバー１０は、支柱９の側方を覆うだけでなく、前述した外部側面パネル１３の抜き差し経路を覆うことにより、外部側面パネル１３を外れ止めしている。なお、支柱カバー１０の上端開口は、支柱カバー１０の上端に取り付けられるキャップ２２で覆蓋される。
【００１７】
本実施形態の移動用キャスタ４は、底部８の下面側に複数設けられ、植栽容器３の移動を補助する。具体的には、取付座２３と、取付座２３に回転自在に設けられるフォーク２４と、フォーク２４にシャフト２５を介して転動自在に設けられる車輪２６と、を備えて構成される４つの移動用キャスタが、底部８の四隅に設けられるキャスタプレート２７に対し、それぞれボルト２８を介して取り付けられている。
【００１８】
本実施形態の固定用アジャスタ５は、底部８の下面側に設けられ、接地パッド２９の上下位置調節に基づいて植栽容器３の移動を規制又は許容する。具体的には、接地パッド２９と、該接地パッド２９から上方に延出するボルト軸３０と、該ボルト軸３０が上下進退自在に螺合する六角支柱３１と、該六角支柱３１が溶着される平面視略Ｌ字状の取付部材３２と、を備えて構成される４つの固定用アジャスタ５が、下枠１２のコーナ部にボルト３３を介して取り付けられている。
【００１９】
本実施形態の袖カバー６は、平板状のアルミ形材であり、側壁部７の下端部から下方に延出して移動用キャスタ４及び固定用アジャスタ５の側方を覆う。具体的には、４つの下枠１２に形成された前述の上側係合溝１２ｄ及び下側係合溝１２ｅにそれぞれ係合支持される４つの袖カバー６を備え、これらの袖カバー６で移動用キャスタ４及び固定用アジャスタ５の側方を覆っている。
【００２０】
袖カバー６は、下枠１２の上側係合溝１２ｄ及び下側係合溝１２ｅに対して着脱自在に取り付けられる。具体的に説明すると、本実施形態の袖カバー６は、上端部に形成された抜け止め段部６ａと、上端側から内側方に突設された回動支点突部６ｂと、上下中間部から内側方に突設された係合突部６ｃと、を有する一方、下枠１２の上側係合溝１２ｄは、その開口下側に形成され、回動支点突部６ｂを支点として袖カバー６を上下回動自在に係合支持する回動支持溝部１２ｆと、開口上側に形成され、袖カバー６の抜け止め段部６ａを抜け止めする抜け止め片１２ｇと、を有し、さらに、下枠１２の下側係合溝１２ｅは、その開口下側に形成され、袖カバー６の係合突部６ｃを係合支持する係合片１２ｈを有する。つまり、図８に実線で示すように、袖カバー６は、回動支点突部６ｂが上側係合溝１２ｄの回動支持溝部１２ｆに係合し、抜け止め段部６ａが上側係合溝１２ｄの抜け止め片１２ｇで抜け止めされ、さらに、係合突部６ｃが下側係合溝１２ｅの係合片１２ｈに係合した状態で下枠１２に取り付けられるが、図８に仮想線で示すように、回動支点突部６ｂを支点として上方に回動させると、上側係合溝１２ｄの抜け止め片１２ｇによる抜け止め段部６ａの抜け止めが解除され、袖カバー６を下枠１２の上側係合溝１２ｄから引き抜き状に取り外すことが可能になる。逆の操作を行えば、取り外し状態の袖カバー６を下枠１２に取り付けることができる。
【００２１】
上記のように取り付けられた袖カバー６は、支柱カバー１０を利用して外れ止めされる。具体的には、袖カバー６を取り付けた後に、支柱カバー１０を取り付けると、図７に示すように、支柱カバー１０の左右両端部が、袖カバー６の両端部に外側から係合し、袖カバー６の上方への回動が規制される。
【００２２】
つぎに、本発明の実施形態に係る移動式プランタ１の移動時から設置完了までの操作手順について、図９を参照して説明する。
【００２３】
図９の（Ａ）は、支柱カバー１０及び袖カバー６を外すとともに、固定用アジャスタ５の接地パッド２９を床面よりも上方に位置させた状態を示しており、この状態では、移動用キャスタ４が有効であるため、植栽容器３を容易に移動させることができる。そして、移動に際しては、袖カバー６が外されているため、袖カバー６が床面に接触して破損することもない。
【００２４】
植栽容器３を所望の設置位置に移動したら、まず、図９の（Ｂ）に示すように、固定用アジャスタ５による固定操作（移動規制操作）を行う。具体的には、スパナＳなどの工具で固定用アジャスタ５のボルト軸３０を回して接地パッド２９を接地位置まで下降させる。これにより、移動用キャスタ４が無効になり、植栽容器３が固定（移動規制）される。
【００２５】
つぎに、図９の（Ｃ）に示すように、袖カバー６の取付操作を行う。具体的には、袖カバー６の上端部を水平姿勢で下枠１２の上側係合溝１２ｄに差し込み、袖カバー６の回動支点突部６ｂを下枠１２の回動支持溝部１２ｆに係合させた後、回動支点突部６ｂを支点として袖カバー６を下方へ回動させて垂下姿勢とする。
【００２６】
つぎに、図９の（Ｄ）に示すように、支柱カバー１０の取付操作を行う。具体的には、図７に示すように、支柱カバー１０の係合片１０ａを支柱９の係合溝９ｂに上方から差し込むことにより、支柱カバー１０が支柱９にスライド状に取り付けられるとともに、接当片１０ｂの下端面がストッパ金具２１に接当することにより、正規の取付位置に保持される。
【００２７】
図９の（Ｅ）は設置完了状態を示しており、この状態では、支柱カバー１０の左右両端部が、袖カバー６の両端部に外側から係合し、袖カバー６の上方への回動を規制しているので、袖カバー６が不意に外れることもない。
【００２８】
叙述の如く構成された本実施形態によれば、植物Ｐが植栽される植栽凹部２を有する移動式プランタ１であって、植栽凹部２の側方を覆う側壁部７、及び、植栽凹部２の下方を覆う底部８を有する植栽容器３と、底部８の下面側に設けられ、植栽容器３の移動を補助する複数の移動用キャスタ４と、底部８の下面側に設けられ、接地パッド２９の上下位置調節に基づいて植栽容器３の移動を規制又は許容する固定用アジャスタ５と、側壁部７の下端部から下方に延出して移動用キャスタ４及び固定用アジャスタ５の側方を覆う袖カバー６と、を備えるので、移動式プランタ１でありながら、移動可能であることが容易に認識されず、いたずらの対象となる可能性が低下するだけでなく、露出した移動用キャスタ４と固定用アジャスタ５による外観の低下を回避できる。しかも、袖カバー６が着脱自在であるため、植栽容器３の移動に際して袖カバー６を取り外すことにより、固定用アジャスタ５における接地パッド２９の上下位置調節が容易になるとともに、移動時に袖カバー６が床面や地面に接触して破損することも防止できる。
【００２９】
また、植栽容器３は、側壁部７同士を連結する支柱９と、支柱９の外側方を覆う支柱カバー１０と、を備え、支柱カバー１０は、上下スライド自在であり、正規の取付位置である下側スライド位置では袖カバー６を外れ止めし、正規の取付位置から上方にスライドさせた上側スライド位置又は取り外し状態では袖カバー６の着脱を許容するので、支柱９を覆う支柱カバー１０を袖カバー６の外れ止め部材に兼用し、部品点数の削減及び構造の簡略化が図れる。
【００３０】
また、側壁部７は、該側壁部７の外側面を形成する外部側面パネル１３と、外部側面パネル１３を着脱自在に支持する上枠１１及び下枠１２と、を備えるので、外部側面パネル１３の交換に基づいてデザインを変更し、様々な用途に適応させることができる。
【００３１】
また、支柱カバー１０は、下側スライド位置では外部側面パネル１３を外れ止めし、上側スライド位置又は取り外し状態では外部側面パネル１３の着脱を許容するので、支柱９を覆う支柱カバー１０を外部側面パネル１３の外れ止め部材に兼用し、部品点数の削減及び構造の簡略化が図れる。
【００３２】
また、側壁部７は、外部側面パネル１３の内側に配置される内部側面パネル１４をさらに備え、外部側面パネル１３と内部側面パネル１４との間には、光源１６を収容可能な空間１５が形成されるので、移動式プランタ１に照明、電照看板、避難誘導灯などの機能を付加することができる。
【００３３】
なお、本発明は、前記実施形態に限定されないことは勿論であり、例えば、前記実施形態では、移動用キャスタ４による植栽容器３の移動を選択的に規制する移動規制操作手段として固定用アジャスタ５を備えるが、固定用アジャスタ５以外で移動規制操作手段を構成してもよい。例えば、移動用キャスタ４をストッパ機構（ブレーキ機構）付きキャスタとした場合は、該ストッパ機構付きキャスタのストッパ機構を移動規制操作手段とし、固定用アジャスタ５を省略することができる。
【符号の説明】
【００３４】
１  移動式プランタ
２  植栽凹部
３  植栽容器
４  移動用キャスタ
５  固定用アジャスタ
６  袖カバー
７  側壁部
８  底部
９  支柱
１０  支柱カバー
１１  上枠
１２  下枠
１３  外部側面パネル
１４  内部側面パネル
１５  空間
１６  光源
【図１】
0006549421.tif 000002
【図２】
0006549421.tif 000003
【図３】
0006549421.tif 000004
【図４】
0006549421.tif 000005
【図５】
0006549421.tif 000006
【図６】
0006549421.tif 000007
【図７】
0006549421.tif 000008
【図８】
0006549421.tif 000009
【図９】
0006549421.tif 000010